(57)【要約】【課題】所定の色の第１画像を第２画像と重ねて形成することが可能な記録装置において、第１画像を第２画像と重ねて形成した場合の見え方を制御する。【解決手段】被記録媒体Ｐにインクを吐出可能な記録ヘッド４と、複数のカラーインクのうち少なくともいずれかを用いて、所定の色の第１画像を被記録媒体Ｐに形成するよう記録ヘッド４を制御する制御部２０と、を備え、制御部２０は、前記第１画像と該第１画像と異なる第２画像とを重ねて被記録媒体Ｐに形成する第１記録モードと、前記第２画像を重ねることなく前記第１画像を被記録媒体Ｐに形成する第２記録モードとで、前記第１画像の形成に使用するカラーインクの種類及び吐出量を異ならせる。【選択図】図２
2014180799.tif 000002
【特許請求の範囲】
【請求項１】
被記録媒体にインクを吐出可能な記録ヘッドと、
複数のカラーインクのうち少なくともいずれかを用いて、所定の色の第１画像を前記被記録媒体に形成するよう前記記録ヘッドを制御する制御部と、を備え、
前記制御部は、
前記第１画像と該第１画像と異なる第２画像とを重ねて前記被記録媒体に形成する第１記録モードと、前記第２画像を重ねることなく前記第１画像を前記被記録媒体に形成する第２記録モードとで、前記第１画像の形成に使用する前記カラーインクの種類及び吐出量を異ならせることを特徴とする記録装置。
【請求項２】
請求項１に記載の記録装置において、
前記制御部は、前記第１記録モードで形成される前記第１画像の屈折率と、前記第２記録モードで形成される前記第１画像の屈折率とを、異ならせることを特徴とする記録装置。
【請求項３】
請求項２に記載の記録装置において、
前記制御部は、前記第１記録モードで形成される前記第１画像の屈折率を、前記第２記録モードで形成される前記第１画像の屈折率よりも、低くすることを特徴とする記録装置。
【請求項４】
請求項２に記載の記録装置において、
前記制御部は、前記第１画像の屈折率に対応する情報を受付け可能であり、前記第１画像の屈折率に対応する情報に基づいて使用する前記カラーインクの種類及び吐出量を決定することを特徴とする記録装置。
【請求項５】
請求項１に記載の記録装置において、
前記制御部は、前記第１記録モードで形成される前記第１画像の彩度と、前記第２記録モードで形成される前記第１画像の彩度とを、異ならせることを特徴とする記録装置。
【請求項６】
請求項５に記載の記録装置において、
前記制御部は、前記第１記録モードで形成される前記第１画像の彩度を、前記第２記録モードで形成される前記第１画像の彩度よりも、高くすることを特徴とする記録装置。
【請求項７】
請求項５に記載の記録装置において、
前記制御部は、前記第１画像の彩度に対応する情報を受付け可能であり、前記第１画像の彩度に対応する情報に基づいて使用する前記カラーインクの種類及び吐出量を決定することを特徴とする記録装置。
【請求項８】
請求項１から７のいずれか１項に記載の記録装置において、
前記第２画像を形成するインクはメタリックインクであることを特徴とする記録装置。
【請求項９】
請求項１に記載の記録装置において、
前記第２画像を形成するインクはメタリックインクであり、
前記制御部は、金属光沢の強さを表す指標値に基づいて、前記第１記録モードと前記第２記録モードとで、使用する前記カラーインクの種類及び吐出量を異ならせることが可能であることを特徴とする記録装置。
【請求項１０】
請求項１から７のいずれか１項に記載の記録装置において、
前記第２画像を形成するインクは白色インクであることを特徴とする記録装置。
【請求項１１】
被記録媒体にインクを吐出可能な記録ヘッドと、複数のカラーインクのうち少なくともいずれかを用いて、所定の色の第１画像を前記被記録媒体に形成するよう前記記録ヘッドを制御する制御部と、を備える記録装置を用いて行う記録方法であって、
前記第１画像と該第１画像と異なる第２画像とを重ねて前記被記録媒体に形成する第１記録モードと、前記第２画像を重ねることなく前記第１画像を前記被記録媒体に形成する第２記録モードとで、前記第１画像の形成に使用する前記カラーインクの種類及び吐出量を異ならせることを特徴とする記録方法。
【発明の詳細な説明】
【技術分野】
【０００１】
本発明は、所定の色の第１画像を第２画像と重ねて記録を行うことが可能な記録装置及び記録方法に関する。
【背景技術】
【０００２】
従来から、所定の色の第１画像を第２画像と重ねて記録を行うことが可能な記録装置が開示されている。このうち、所定の色の第１画像と下地層用のインクを用いて記録される第２画像とを重ねて記録を行うことが可能な記録装置、すなわち、下地層用のインクを用いて下地層の記録を行うことが可能な記録装置が使用されている。  
例えば、特許文献１には、記録ヘッドから被記録媒体にメタリックインクを噴射して、被記録媒体に下地層としてのメタリックインク層を形成することが可能な記録装置が開示されている。
【０００３】
また、従来から、被記録媒体の表面層について様々な検討がなされている。  
例えば、特許文献２には、屋外や明るい室内における表面の反射により、黒色画像等が白っぽく見えてしまうことを抑制するために、被記録媒体の最表層を内側の層よりも屈折率が低くなるよう構成した被記録媒体が開示されている。
【先行技術文献】
【特許文献】
【０００４】
【特許文献１】特開２０１２−２４５６７６号公報
【特許文献２】特開２０１２−１１７７１号公報
【発明の概要】
【発明が解決しようとする課題】
【０００５】
しかしながら、特許文献１に開示されるような、下地層用のインクを用いて下地層の記録を行うことが可能な従来の記録装置で記録を行うと、下地層を記録した部分において、カラーインクを用いて形成された記録画像が所望のものと異なる場合があった。例えば、下地層用のインクとしてメタリックインクを用いた場合、メタリックインクで下地層を記録した部分において、カラーインクを用いて形成された記録画像が所望の金属光沢を得られない場合等があった。  
なお、特許文献２に開示される被記録媒体は、上記課題を解決するものではない。
【０００６】
そこで、本発明の目的は、所定の色の第１画像を第２画像と重ねて記録を行うことが可能な記録装置において、第１画像を第２画像と重ねて記録した場合の見え方を制御することである。
【課題を解決するための手段】
【０００７】
上記課題を解決するための本発明の第１の態様の記録装置は、被記録媒体にインクを吐出可能な記録ヘッドと、複数のカラーインクのうち少なくともいずれかを用いて、所定の色の第１画像を前記被記録媒体に形成するよう前記記録ヘッドを制御する制御部と、を備え、前記制御部は、前記第１画像と該第１画像と異なる第２画像とを重ねて前記被記録媒体に形成する第１記録モードと、前記第２画像を重ねることなく前記第１画像を前記被記録媒体に形成する第２記録モードとで、前記第１画像の形成に使用するカラーインクの種類及び吐出量を異ならせることを特徴とする。
【０００８】
ここで、「カラーインク」とは、有彩色のインクのほか、黒色インクも含む意味であり、前記第１画像を形成するために用いられる場合は白色インク等も含む意味である。  
また、「前記第１画像と該第１画像と異なる第２画像とを重ねて前記被記録媒体に形成する」とは、例えば、下地層用の前記第２画像の記録を行った部分に重ねて前記第１画像を形成することの他、バックライトフィルムに形成する場合のように、前記第１画像を記録した部分に重ねて、下地層用の前記第２画像を形成することも含む意味である。  
また、「前記第１画像の形成に使用するカラーインクの種類及び吐出量を異ならせる」とは、例えば、同じ色調である色材濃度の高いインクと色材濃度の低いインクとを備える記録装置において、一方を色材濃度の高いインクのみを用いて形成し、他方を色材濃度の高いインクと色材濃度の低いインクとを共に用いて形成することが挙げられる。
【０００９】
本態様によれば、前記制御部は、前記記録ヘッドを制御して、前記第１画像を前記被記録媒体に形成するに当たり、前記第１記録モードと前記第２記録モードとで、使用するカラーインクの種類及び吐出量を異ならせる。このため、前記第１記録モードにおいて、前記第２記録モードにおいて使用するカラーインクの種類及び吐出量とは異なる、より所望の記録画像を得られる条件で形成することが可能になる。すなわち、第１画像を第２画像と重ねて記録した場合の見え方を制御することができる。
【００１０】
本発明の第２の態様の記録装置は、前記第１の態様において、前記制御部は、前記第１記録モードで形成される前記第１画像の屈折率と、前記第２記録モードで形成される前記第１画像の屈折率とを、異ならせることを特徴とする。
【００１１】
例えば、前記第２画像を形成するインクとしてメタリックインクを用いた場合、メタリックインクで下地層としての前記第２画像を記録した部分であって前記第１画像を重ねて記録した部分は、該カラーインクの屈折率が低いほど金属光沢が顕著となる。  
本態様によれば、前記カラーインクを用いて形成される第１画像の屈折率に基づいて、下地層としての前記第２画像を記録した部分における前記第１画像の見え方を制御することができる。
【００１２】
本発明の第３の態様の記録装置は、前記第２の態様において、前記制御部は、前記第１記録モードで形成される前記第１画像の屈折率を、前記第２記録モードで形成される前記第１画像の屈折率よりも、低くすることを特徴とする。
【００１３】
本態様によれば、例えば、前記第２画像を形成するインクとしてメタリックインクを用いた場合、メタリックインクで下地層としての前記第２画像を記録した部分であって前記第１画像を重ねて記録した部分の金属光沢を顕著にすることができる。
【００１４】
本発明の第４の態様の記録装置は、前記第２の態様において、前記制御部は、前記第１画像の屈折率に対応する情報を受付け可能であり、前記第１画像の屈折率に対応する情報に基づいて使用するカラーインクの種類及び吐出量を決定することを特徴とする。
【００１５】
本態様によれば、前記第１画像の屈折率に対応する情報を受付け可能であり、前記第１画像の屈折率に対応する情報に基づいて使用するカラーインクの種類及び吐出量を決定する。このため、例えば、ユーザーインターフェースを介してユーザーによって指定された前記第１画像の屈折率に基づいて、使用するカラーインクの種類及び吐出量を決定することができる。すなわち、例えば、前記第２画像を形成するインクとしてメタリックインクを用いた場合、メタリックインクで下地層としての前記第２画像を記録した部分であって前記第１画像を重ねて記録した部分の金属光沢の度合いをユーザーは指定することが可能になる。
【００１６】
本発明の第５の態様の記録装置は、前記第１の態様において、前記制御部は、前記第１記録モードで形成される前記第１画像の彩度と、前記第２記録モードで形成される前記第１画像の彩度とを、異ならせることを特徴とする。
【００１７】
例えば、前記第２画像を形成するインクとしてメタリックインクを用いた場合、メタリックインクで下地層としての前記第２画像を記録した部分であって前記第１画像を重ねて記録した部分は、該カラーインクの彩度が高いほど金属光沢が顕著となる。  
本態様によれば、前記カラーインクを用いて形成される第１画像の彩度に基づいて、下地層としての前記第２画像を記録した部分における前記第１画像の見え方を制御することができる。
【００１８】
本発明の第６の態様の記録装置は、前記第５の態様において、前記制御部は、前記第１記録モードで形成される前記第１画像の彩度を、前記第２記録モードで形成される前記第１画像の彩度よりも、高くすることを特徴とする。
【００１９】
本態様によれば、例えば、前記第２画像を形成するインクとしてメタリックインクを用いた場合、メタリックインクで下地層としての前記第２画像を記録した部分であって前記第１画像を重ねて記録した部分の金属光沢を顕著にすることができる。
【００２０】
本発明の第７の態様の記録装置は、前記第５の態様において、前記制御部は、前記第１画像の彩度に対応する情報を受付け可能であり、前記第１画像の彩度に対応する情報に基づいて使用するカラーインクの種類及び吐出量を決定することを特徴とする。
【００２１】
本態様によれば、前記第１画像の彩度に対応する情報を受付け可能であり、前記第１画像の彩度に対応する情報に基づいて使用するカラーインクの種類及び吐出量を決定する。このため、例えば、ユーザーインターフェースを介してユーザーによって指定された前記第１画像の彩度に基づいて、使用するカラーインクの種類及び吐出量を決定することができる。すなわち、例えば、前記第２画像を形成するインクとしてメタリックインクを用いた場合、メタリックインクで下地層としての前記第２画像を記録した部分であって前記第１画像を重ねて記録した部分の金属光沢の度合いをユーザーは指定することが可能になる。
【００２２】
本発明の第８の態様の記録装置は、前記第１から第７のいずれか１つの態様において、前記第２画像を形成するインクはメタリックインクであることを特徴とする。
【００２３】
ここで、「メタリックインク」とは、色材として金属性顔料を液体中に分散させたインクであって、被記録媒体に付着させることにより金属光沢を有する着色層を形成可能なインクである。  
本態様によれば、メタリックインクで前記第２画像を記録した部分であって前記第１画像を重ねて記録した部分の金属光沢を所望の程度にすることが可能になる。
【００２４】
本発明の第９の態様の記録装置は、前記第１の態様において、前記第２画像を形成するインクはメタリックインクであり、前記制御部は、金属光沢の強さを表す指標値に基づいて、前記第１記録モードと前記第２記録モードとで、使用するカラーインクの種類及び吐出量を異ならせることが可能であることを特徴とする。
【００２５】
ここで、「金属光沢の強さを表す指標値」とは、例えば、上記「第１画像の屈折率」及び「第１画像の彩度」等が挙げられるが、金属光沢の強さと関連するものであれば特に限定されない。  
本態様によれば、メタリックインクで前記第２画像を記録した部分であって前記第１画像を重ねて記録した部分の金属光沢を所望の程度にすることができる。
【００２６】
本発明の第１０の態様の記録装置は、前記第１から第７のいずれか１つの態様において、前記第２画像を形成するインクは白色インクであることを特徴とする。
【００２７】
ここで、「白色インク」とは、色材として白色顔料を液体中に分散させたインクであって、被記録媒体に付着させることにより白色の着色層を形成可能なインクである。  
本態様によれば、白色インクで下前記第２画像を記録した部分であって前記第１画像を重ねて記録した部分の彩度等を所望の程度にすることが可能になる。
【００２８】
本発明の第１１の態様の記録方法は、被記録媒体にインクを吐出可能な記録ヘッドと、複数のカラーインクのうち少なくともいずれかを用いて、所定の色の第１画像を前記被記録媒体に形成するよう前記記録ヘッドを制御する制御部と、を備える記録装置を用いて行う記録方法であって、前記第１画像と該第１画像と異なる第２画像とを重ねて前記被記録媒体に形成する第１記録モードと、前記第２画像を重ねることなく前記第１画像を前記被記録媒体に形成する第２記録モードとで、前記第１画像の形成に使用するカラーインクの種類及び吐出量を異ならせることを特徴とする。
【００２９】
本態様によれば、前記第１画像を前記被記録媒体に形成するに当たり、前記第１記録モードと前記第２記録モードとで、使用するカラーインクの種類及び吐出量を異ならせる。このため、前記第１記録モードにおいて、前記第２記録モードにおいて使用するカラーインクの種類及び吐出量と異なる、より所望の記録画像を得られる条件で形成することが可能になる。すなわち、第１画像を第２画像と重ねて記録した場合の見え方を制御することができる。
【図面の簡単な説明】
【００３０】
【図１】本発明の一実施例に係る記録装置を表す概略側面図。
【図２】本発明の一実施例に係る記録装置のブロック図。
【図３】本発明の一実施例に係る記録装置において第１画像の金属光沢の強さを表す指標値に対応する情報を受付ける際の表示画面を表す概略図。
【図４】本発明の記録方法の実施例を表すフローチャート。
【発明を実施するための形態】
【００３１】
［実施例］（図１〜図３）  
以下に、本発明の一実施例に係る記録装置について、添付図面を参照して詳細に説明する。  
最初に、本発明の一実施例に係る記録装置の概要について説明する。該記録装置は、所定の色の第１画像を形成する複数のカラーインクとして、黒色インク、イエローインク、シアンインク、ライトシアンインク、マゼンタインク、ライトマゼンタインク、オレンジインク、グリーンインク及びブルーインクを有する。また、第２画像を形成するインクとして、メタリックインクを有する。ただし、このようなインクを有する記録装置に限定されず、第１画像を形成する複数のカラーインクとして、上記とは異なる色のインクを用いてもよく、また、これらのインクのうちの一部のみを用いてもよい。また、第２画像を形成するインクとして、例えば、白色インクを用いてもよい。
【００３２】
ここで、「メタリックインク」とは、色材として金属性顔料（メタリック顔料）を液体中に分散させたインクであって、被記録媒体に付着させることにより金属光沢を有する着色層を形成可能なインクである。金属性顔料は、金属光沢等の機能を有するものであれば特に限定されないが、アルミニウム又はアルミニウム合金、あるいは、銀又は銀合金であることが望ましい。これらの中でも、コストの観点及び高い金属光沢を確保する観点から、アルミニウム又はアルミニウム合金であることが望ましい。アルミニウム合金を用いる場合、アルミニウムに添加される別の金属元素又は非金属元素としては、金属光沢を有する等の機能を有するものであれば特に限定されるものではないが、銀、金、白金、ニッケル、クロム、錫、亜鉛、インジウム、チタン、銅等を挙げることができ、これらの単体又はこれらの合金及びこれらの混合物の少なくとも一種が好適に用いられる。本実施形態では、金属性顔料として銀が用いられる。なお、メタリックインクは光輝性インクに含まれる。光輝性インクは、含有される顔料が上記のような金属性顔料には限られず、金属光沢を発揮するインクであればよい。
【００３３】
また、「白色インク」とは、色材として白色顔料を液体中に分散させたインクであって、被記録媒体に付着させることにより白色の着色層を形成可能なインクである。  
なお、本明細書において「白色」とは、可視光線のすべての波長を１００％反射する物体の表面色である厳密な意味での白色に限らず、いわゆる「白っぽい色」のように、社会通念上、白色と呼ばれる色を含むものとする。「白色」とは、例えば、（１）ｘ−ｒｉｔｅ社製の測色機ｅｙｅ−ｏｎｅ  Ｐｒｏを用いて測色モード：スポット測色、光源：Ｄ５０、バッキング：Ｂｌａｃｋ、印刷媒体：透明フィルムで測色した場合に、Ｌａｂ系での標記がａ＊ｂ＊平面上で半径２０の円周及びその内側にあり、かつＬ＊が７０以上で表される色相範囲内の色か、（２）ミノルタ製の測色計ＣＭ２０２２を用いて測定モードＤ５０２°視野、ＳＣＦモード、白地バックで測色した場合に、Ｌａｂ系での標記がａ＊ｂ＊平面上で半径２０の円周及びその内側にあり、かつＬ＊が７０以上で表される色相範囲内の色か、（３）特開２００４−３０６５９１号公報に記載されているように画像の背景として用いられるインクの色かをいい、背景として用いられるのであれば純粋な白に限られない。
【００３４】
図１は本実施例に係る記録装置１の概略側面図を表している。  
本実施例の記録装置１は、記録を行うための被記録媒体ＰのロールＲ１を送り出すことが可能な被記録媒体Ｐのセット部２を備えている。なお、本実施例の記録装置１は被記録媒体Ｐとしてロール式の被記録媒体を使用しているが、このようなロール式の被記録媒体を使用する記録装置に限定されない。  
本実施例の記録装置１は、被記録媒体Ｐを搬送方向Ａに搬送する際、セット部２は回転方向Ｃに回転する。
【００３５】
また、本実施例の記録装置１は、ロール式の被記録媒体Ｐを搬送方向Ａに搬送するための不図示の複数の搬送ローラーを備える搬送機構８を備えている。該搬送機構８には、プラテン３に支持された被記録媒体Ｐを加熱可能なプラテンヒーター５が設けられている。  
なお、本実施例のプラテンヒーター５はプラテン３と対向する位置に設けられ、被記録媒体Ｐの表面を加熱可能な赤外線ヒーターであるが、このようなヒーターに限定されず、プラテン３側から被記録媒体Ｐを加熱可能なヒーターを用いてもよい。
【００３６】
また、本実施例の記録装置１は、被記録媒体Ｐの搬送方向Ａと交差する走査方向Ｂに記録ヘッド４を往復走査させて形成する記録機構９を備えている。記録ヘッド４は、第１インクとしてメタリックインク及び第２インクとしての複数の前記カラーインクを被記録媒体Ｐに吐出可能である。記録ヘッド４から吐出されたインクにより、被記録媒体Ｐに画像が形成（記録）される。  
なお、本実施例の記録装置１は、記録ヘッド４を往復走査させて形成する記録機構９を備えているが、インクを吐出するノズルを搬送方向Ａと交差する方向に複数設けた所謂ラインヘッドを備える記録装置でもよい。
【００３７】
搬送機構８及び記録機構９の被記録媒体Ｐの搬送方向Ａにおける下流側には、赤外線ヒーターで構成されるアフターヒーター７により媒体支持部６に搬送された被記録媒体Ｐを乾燥させる乾燥機構１０を備えている。
【００３８】
また、乾燥機構１０の被記録媒体Ｐの搬送方向Ａにおける下流側には、被記録媒体Ｐを巻き取る際の該被記録媒体Ｐの張力を調整する役割の張力調整部１１が備えられている。そして、張力調整部１１の被記録媒体Ｐの搬送方向Ａにおける下流側には、被記録媒体Ｐを巻き取り可能な巻取部１２が備えられている。なお、本実施例の記録装置１では、被記録媒体Ｐを巻き取る際、巻取部１２は回転方向Ｃに回転する。
【００３９】
次に、本実施例の記録装置１における電気的な構成について説明する。  
図２は、本実施例の記録装置１のブロック図である。  
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。  
また、ＣＰＵ２１は、システムバス２２を介して、記録ヘッド４を駆動するためのヘッド駆動部２５と接続されている。  
また、ＣＰＵ２１は、システムバス２２を介して、プラテンヒーター５及びアフターヒーター７を駆動するためのヒーター駆動部１８と接続されている。
【００４０】
また、ＣＰＵ２１は、システムバス２２を介して、キャリッジモーター１３、搬送モーター１４、繰出モーター１５及び巻取モーター１６を駆動させるためのモーター駆動部１９と接続されている。  
ここで、キャリッジモーター１３は、記録ヘッド４を搭載したキャリッジを移動させるためのモーターである。また、搬送モーター１４は、搬送機構８に設けられた不図示の複数の搬送ローラーを駆動するためのモーターである。また、繰出モーター１５は、セット部２の回転機構であり、被記録媒体Ｐを搬送機構８に繰り出すためにセット部２を駆動するモーターである。そして、巻取モーター１６は、巻取部１２を回転させるための駆動モーターである。
【００４１】
さらに、ＣＰＵ２１は、記録装置１に設けられたモニター２７及びコントロールパネル２８と、記録データ等をＰＣ等の外部装置から入力する等のためのインターフェース２６と、データ及び信号の送受信を行うための入出力部１７と接続されている。
【００４２】
本実施例の記録装置１は、メタリックインクで記録された第２画像に複数のカラーインクで記録された第１画像を重ねて形成する第１記録モードと、複数のカラーインクで記録された第１画像のみを形成する第２記録モードと、を有しており、これらの制御プログラムはＲＯＭ２３に格納されている。
【００４３】
本実施例の記録装置１は、制御部２０が記録ヘッド４を制御して、所定の色の第１画像を被記録媒体Ｐに形成する。また、本実施例の記録装置１は、前記複数のカラーインクのうちの１又は複数の異なるインクを用いて、複数種類の方法で該第１画像を形成することが可能である。その一例を下記表１に示す。下記表１は、下記表１中のインク種で示されるインクをインク組成１及びインク組成２において何％使用するかを表す表であり、インク組成１及びインク組成２で形成される第１画像は同じ赤味の色相を示す。  
なお、下記表１に、インク組成１及びインク組成２の各々の方法で該第１画像を形成した際の該第１画像の屈折率も併せて示す。
【００４４】
【表１】
2014180799.tif 000003
【００４５】
上記表１で表されるようにインク組成１で形成される第１画像は、インク組成２で形成される第１画像よりも屈折率が低くなる。本実施例の記録装置１では、上記表１のインク組成で形成される所定の色の第１画像を被記録媒体Ｐに形成するに当たり、前記第１記録モードではインク組成１で記録し、前記第２記録モードではインク組成２で形成することが可能である。すなわち、制御部２０は、前記第１記録モードで使用するカラーインクの種類及び吐出量で形成される第１画像の屈折率と前記第２記録モードで使用するカラーインクの種類及び吐出量で形成される第１画像の屈折率とを異ならせることが可能である。詳細には、制御部２０は、前記第１記録モードで使用するカラーインクの種類及び吐出量で形成される第１画像の屈折率を前記第２記録モードで使用するカラーインクの種類及び吐出量で形成される第１画像の屈折率よりも低くすることが可能である。第１画像の屈折率を低くすれば、第２画像からの反射光の成分が相対的に多くなる。この結果、例えば、第２画像をメタリックインクにより形成する場合は第１画像を視認した際の金属光沢の強さを強くすることができる。
【００４６】
なお、上記表１では表されていないが、インク組成１で形成される第１画像は、インク組成２で形成される第１画像よりも彩度が高い。すなわち、上記を別の表現をすると、制御部２０は、前記第１記録モードで使用するカラーインクの種類及び吐出量で形成される第１画像の屈折率と前記第２記録モードで使用するカラーインクの種類及び吐出量で形成される第１画像の彩度とを異ならせることが可能である。詳細には、本実施例の記録装置１では、制御部２０は、前記第１記録モードで使用するカラーインクの種類及び吐出量で形成される第１画像の彩度を前記第２記録モードで使用するカラーインクの種類及び吐出量で形成される第１画像の彩度よりも高くすることが可能である。
【００４７】
また、本実施例の記録装置１では、制御部２０は、前記第１画像の屈折率及び前記第１画像の彩度等の金属光沢の強さを表す指標値に対応する情報を受付け可能であり、該情報に基づいて使用するカラーインクの種類及び吐出量を決定することが可能である。具体的には、本実施例の記録装置１は、モニター２７及びインターフェース２６を介して外部装置であるＰＣに該情報を表示させる。そして、ユーザーはコントロールパネル２８及びＰＣにおけるマウス等のユーザーインターフェースを用いて金属光沢の強さを表す指標値を指定する。そして制御部２０は、ユーザーに指定された金属光沢の強さを表す指標値に基づいて、使用するカラーインクの種類及び吐出量を決定することができる。
【００４８】
図３は、モニター２７に表示された金属光沢の強さを表す指標値の指定画面の例である。図３（Ａ）は、金属光沢の強さを表す指標値として第１画像の屈折率を使用した際の表示画面である。図３（Ｂ）は、金属光沢の強さを表す指標値として第１画像の彩度を使用した際の表示画面である。図３（Ｃ）は、金属光沢の強さを表す指標値として該指標値を感覚的に表す第１画像のメタリック度を使用した際の表示画面である。
【００４９】
ユーザーは、各表示画面２９において、コントロールパネル２８及びＰＣにおけるマウス等のユーザーインターフェースを用いて設定部３０を移動させることにより、金属光沢の強さを表す指標値である、第１画像の屈折率、第１画像の彩度及び第１画像のメタリック度を指定することができる。
【００５０】
［記録方法の実施例］（図４）  
次に、本実施例の記録方法について説明する。  
図４は、本実施例の記録方法を表すフローチャートである。  
なお、本実施例の記録方法は、上記実施例の記録装置１を用いて行った実施例である。
【００５１】
本実施例の記録方法では、最初に、ステップＳ１１０において、記録装置１は、モニター２７及びインターフェース２６を介して外部装置であるＰＣに、図３（Ａ）から図３（Ｃ）で表されるような、金属光沢の強さを表す指標値に対応する情報を表示する。  
次に、ステップＳ１２０において、コントロールパネル２８及びＰＣにおけるマウス等のユーザーインターフェースを用いてユーザーにより指定された金属光沢の強さを表す指標値を制御部２０は受け付ける。
【００５２】
次に、ステップＳ１３０において、制御部２０は、ステップＳ１２０で受け付けた金属光沢の強さを表す指標値に基づいて、第１記録モードと第２記録モードとで、使用するカラーインクの種類及び吐出量が異なるように、記録条件を設定する。  
なお、本実施例の記録方法は、ユーザーに金属光沢の強さを表す指標値を指定させ、これに基づいて記録条件を設定するが、このような記録方法に限定されない。例えば、ステップＳ１１０からステップＳ１３０を省略し、第１記録モードと第２記録モードとで、所定の色の第１画像を前記被記録媒体に形成するに当たり、使用するカラーインクの種類及び吐出量が異なるように予め定められた記録条件が自動的に設定されるようにしてもよい。
【００５３】
次に、ステップＳ１４０において記録装置１が記録データを入力すると、ステップＳ１５０において、制御部２０は、該記録データから第１記録モードで形成するか第２記録モードで形成するかを判断する。  
制御部２０が第１記録モードで形成すると判断した場合は、ステップＳ１６０に進み、第１記録モードで形成する。  
制御部２０が第２記録モードで形成すると判断した場合は、ステップＳ１７０に進み、第２記録モードで形成する。
【００５４】
次に、ステップＳ１８０で記録が終了したかどうかを判断し、記録が終了したと判断されるまでステップＳ１５０からステップＳ１８０を繰り返し、記録が終了したと判断した場合は本実施例に係る記録方法を終了する。
【符号の説明】
【００５５】
１  記録装置、２  セット部、３  プラテン、４  記録ヘッド、
５  プラテンヒーター、６  媒体支持部、７  アフターヒーター、８  搬送機構、
９  記録機構、１０  乾燥機構、１１  張力調整部、１２  巻取部、
１３  キャリッジモーター、１４  搬送モーター、１５  繰出モーター、
１６  巻取モーター、１７  入出力部、１８  ヒーター駆動部、
１９  モーター駆動部、２０  制御部、２１  ＣＰＵ、２２  システムバス、
２３  ＲＯＭ、２４  ＲＡＭ、２５  ヘッド駆動部、２６  インターフェース、
２７  モニター、２８  コントロールパネル、２９  表示画面、３０  設定部、
Ｐ  被記録媒体、Ｒ１  被記録媒体のロール、Ｒ２  被記録媒体のロール
【図１】
2014180799.tif 000004
【図２】
2014180799.tif 000005
【図３】
2014180799.tif 000006
【図４】
2014180799.tif 000007